(57)【要約】【課題】  光学式ピックアップから照射されるレーザー光により信号を光ディスクに記録するように構成された光ディスク記録再生装置の記録特性を検出する回路に関する。【解決手段】  光学式ピックアップに組み込まれている光検出器１から得られるＲＦ信号から低域成分が除去された高周波信号の振幅を一定にする自動振幅制御回路７を設けるとともに該高周波信号のピークレベルとボトムレベルとを分圧回路１１によって分圧し、その分圧出力である検出信号のレベルと基準レベルとを比較することによってβ値を求めるように構成されている。【選択図】    図１
2006252726.tif 000002
【特許請求の範囲】
【請求項１】
光学式ピックアップから照射されるレーザー光によって光ディスクに信号を記録するように構成された光ディスク記録再生装置の記録特性検出回路であり、光学式ピックアップに組み込まれている光検出器から得られる高周波信号が入力されるとともに該信号を増幅するＲＦ信号増幅回路と、該ＲＦ信号増幅回路から出力されるＲＦ信号が入力されるとともに低域成分を除去するハイパスフィルター回路と、該ハイパスフィルター回路を通過した高周波信号が入力されるとともに該高周波信号の振幅を一定にする自動振幅制御回路と、該自動振幅制御回路の出力信号が入力されるとともに該入力信号のレベルを基準電圧にてシフトする信号レベルシフト回路と、該信号レベルシフト回路にてシフトされた信号が入力されるとともにそのピークレベルを保持するピークレベル保持回路と、前記信号レベルシフト回路にてシフトされた信号が入力されるとともにそのボトムレベルを保持するボトムレベル保持回路と、前記ピークレベル保持回路の出力信号であるピークレベルとボトムレベル保持回路の出力信号であるボトムレベルとを分圧する分圧回路と、該分圧回路にて分圧された検出信号が入力されるとともに該検出信号のレベルと基準レベルとを比較する比較回路とより成り、該比較回路から出力される差信号のレベルにてβ値を求めるようにしたことを特徴とする記録特性検出回路。
【請求項２】
自動振幅制御回路による振幅制御動作を利得制御動作にて行うようにしたことを特徴とする請求項１に記載の記録特性検出回路。
【発明の詳細な説明】
【技術分野】
【０００１】
本発明は、光学式ピックアップから照射されるレーザー光によって光ディスクに信号を記録するように構成された光ディスク記録再生装置に関し、特に記録特性を検出する記録特性検出回路に関するものである。
【背景技術】
【０００２】
光学式ピックアップから照射されるレーザー光によって光ディスクに信号を記録するように構成された光ディスク記録再生装置が普及している。斯かる光ディスク記録再生装置としては、ＣＤと呼ばれる光ディスクを使用するものが一般的である。
【０００３】
斯かる光ディスク記録再生装置としては、オーディオ信号の記録再生動作を行うものやコンピューター装置と組み合わせて使用するものがある。コンピューター装置と組み合わせて使用される光ディスク記録再生装置は、光ディスクへのデータ信号の記録動作を短時間にて行うことが要求されるため、光ディスクを規定線速度の数倍から数十倍の速度にて回転させた状態で信号の記録動作を行うことが出来るように構成されている。
【０００４】
斯かる光ディスク記録再生装置に使用される記録用の光ディスクは、メーカーや速度対応グレードの差により記録特性が相違するだけでなく、同一の光ディスクにおいてもバラツキによって記録の特性が相違することがある。
【０００５】
そのため、光ディスク記録再生装置では、記録動作を行う前に使用する光ディスクの記録特性に適したレーザー出力に設定するという動作を行うことが出来るように構成されている。斯かるレーザー出力の設定動作は、光ディスクの内周側に設けられている試し書き領域にレーザー出力を段階的に変化させてテスト信号を記録し、その記録されたテスト信号の品位を検出することによってレーザー出力の設定動作を行うように構成されている。
【０００６】
記録されたテスト信号の品位を検出する動作は、再生信号として得られるＲＦ信号のβ値が所定の値になるか否かを検出することによって行われる。斯かるβ値は、ＲＦ信号のプラス側の振幅値をＡ(ピークレベル)、マイナス側の振幅値をＢ(ボトムレベル)としたとき、β＝(Ａ−Ｂ)／（Ａ＋Ｂ）にて算出することが出来る。そして、斯かるβ値は、ＲＦ信号のレベル検出動作によって得られた各値に基づく演算処理動作をマイクロコンピューター等にて行うようにされている(例えば、特許文献１参照。)。
【特許文献１】特開平９−１６１２７２号公報
【発明の開示】
【発明が解決しようとする課題】
【０００７】
従来の技術では、ＲＦ信号のピークレベル及びボトムレベルをピークレベル保持回路及びボトムレベル保持回路によって保持検出し、これらのレベルであるＡ及びＢをそれぞれデジタル信号に変換した後マイクロコンピューターによって演算してβ値を求めるようにされている。
【０００８】
しかしながら、斯かるマイクロコンピューターによる演算処理動作によってβ値を求める方法では、マイクロコンピューターによる演算処理時間の制限により、また振幅値Ａ及びＢをデジタル信号に変換する等の関係から、β値を算出するまでに要する時間が長くなるという問題がある。
【０００９】
本発明は、斯かる問題を解決することが出来る記録特性検出回路を提供しようとするものである。
【課題を解決するための手段】
【００１０】
本発明は、光学式ピックアップに組み込まれている光検出器から得られる高周波信号が入力されるとともに該信号を増幅するＲＦ信号増幅回路と、該ＲＦ信号増幅回路から出力されるＲＦ信号が入力されるとともに低域成分を除去するハイパスフィルター回路と、該ハイパスフィルター回路を通過した高周波信号が入力されるとともに該高周波信号の振幅を一定にする自動振幅制御回路と、該自動振幅制御回路の出力信号が入力されるとともに該入力信号のレベルを基準電圧にてシフトする信号レベルシフト回路と、該信号レベルシフト回路にてシフトされた信号が入力されるとともにそのピークレベルを保持するピークレベル保持回路と、前記信号レベルシフト回路にてシフトされた信号が入力されるとともにそのボトムレベルを保持するボトムレベル保持回路と、前記ピークレベル保持回路の出力信号であるピークレベルとボトムレベル保持回路の出力信号であるボトムレベルとを分圧する分圧回路と、該分圧回路にて分圧された検出信号が入力されるとともに該検出信号のレベルと基準レベルとを比較する比較回路とより構成されている。
【００１１】
また、本発明は、自動振幅制御回路による振幅制御動作を利得制御動作にて行うように構成されている。
【発明の効果】
【００１２】
本発明は、光学式ピックアップに組み込まれている光検出器から得られるＲＦ信号から低域成分が除去された高周波信号の振幅を一定にする自動振幅制御回路を設けるとともに該高周波信号のピークレベルとボトムレベルとを分圧回路によって分圧し、その分圧出力である検出信号のレベルと基準レベルとを比較することによってβ値を求めるようにしたので、即ちマイクロコンピューターのように演算処理動作を行うことなくβ値を求めるようにしたので、β値の検出動作を短時間にて行うことが出来る。
【００１３】
また、本発明は、自動振幅制御回路による振幅制御動作を利得制御動作にて行うようにしたので、即ち利得制御により振幅制御動作を行うようにしたので、ＡＧＣと呼ばれる周知の回路を使用することが出来、回路構成が簡単になるという利点を有している。
【発明を実施するための最良の形態】
【００１４】
本発明は、光ディスクに記録された信号の良否を判定するために使用されるβ値の検出動作をマイクロコンピューターによる演算処理動作を行うことなく行うことが出来る回路を提供するものである。
【実施例】
【００１５】
図１は本発明の記録特性検出回路の一実施例を示すブロック回路図、図２は本発明の動作を説明するための信号波形図である。
【００１６】
図１において、１は光学式ピックアップに組み込まれている光検出器を構成するとともに第１センサー部Ａ、第２センサー部Ｂ、第３センサー部Ｃ及び第４センサー部Ｄより成る４分割センサーであり、光ディスクの信号面から反射されるレーザー光が照射されるとともに照射されるレーザー光に対応した電気信号を出力するように構成されている。
【００１７】
２は前記４分割センサー１を構成する第１センサー部Ａ及び第４センサー部Ｄから得られる信号が入力されるとともに入力される信号を加算する第１加算回路、３は前記４分割センサー１を構成する第２センサー部Ｂ及び第３センサー部Ｃから得られる信号が入力されるとともに入力される信号を加算する第２加算回路、４は前記第１加算回路２の出力信
号及び第２加算回路３の出力信号が入力されるとともに入力される信号を加算する第３加算回路である。
【００１８】
前記第３加算回路４により加算される信号は、前記第１加算回路２にて加算された信号、即ち第１センサー部Ａ及び第４センサー部Ｄより得られる信号と前記第２加算回路３にて加算された信号、即ち第２センサー部Ｂ及び第３センサー部Ｃより得られる信号であるので、光検出器１を構成する全てのセンサー部Ａ、Ｂ、Ｃ及びＤから得られる信号となる。斯かる信号は、光ディスクの信号面に記録されている信号を再生して得られる信号であり、ＲＦ(高周波)信号となる。
【００１９】
５は前記第３加算回路５から出力されるＲＦ信号が入力されるとともに該信号を増幅するＲＦ信号増幅回路、６は前記ＲＦ信号増幅回路５から出力されるＲＦ信号が入力されるハイパスフィルター(ＨＰＦ)回路であり、入力されるＲＦ信号の中から直流分、即ちオフセット成分を除去する作用を成すものである。７は前記ハイパスフィルター回路６を通過した高周波信号が入力される自動振幅制御回路であり、高周波信号の振幅を所定のレベルになるように制御するように構成されている。斯かる自動振幅制御回路７としては、ＡＧＣ回路と呼ばれる自動利得制御回路にて構成することが出来る。
【００２０】
８は前記自動振幅制御回路７の出力信号である高周波信号が一方の入力端子に入力されるとともに他方の入力端子に基準電圧Ｖｒｅｆが入力される比較回路であり、入力される高周波信号を基準電圧Ｖｒｅｆだけシフトするように構成されている。９は前記自動振幅制御回路７の出力信号が入力されるとともに最大レベル、即ちピークレベルＰＶの値を保持するピークレベル保持回路、１０は前記自動振幅制御回路７の出力信号が入力されるとともに最小レベル、即ちボトムレベルＢＶの値を保持するボトムレベル保持回路である。
【００２１】
１１は前記ピークレベル保持回路９の出力端子とボトムレベル保持回路１０の出力端子との間に直列接続された第１抵抗Ｒ１及び第２抵抗Ｒ２とより成る分圧回路であり、前記第１抵抗Ｒ１の抵抗値と第２抵抗Ｒ２の抵抗値とは等しくなるように設定されている。１２は前記分圧回路１１の分圧点Ｄより導出される分圧電圧ＤＶが一方の入力端子に入力されるとともに他方の入力端子に基準電圧Ｖｒｅｆが入力される比較回路であり、前記分圧電圧ＤＶと基準電圧Ｖｒｅｆとの差である検出電圧ＫＶを出力端子に出力するように構成されている。
【００２２】
１３は前記比較回路１２から出力される検出電圧ＫＶが入力されるβ値検出回路であり、入力される検出電圧ＫＶの値によってβ値を検出するように構成されている。
【００２３】
以上に説明したように本発明は構成されており、次に図２示した信号波形図を参照して本発明の動作について説明する。同図において、Ｒ１、Ｒ２及びＲ３は、光ディスクに記録されている信号の再生信号である高周波信号の波形であり、ＣＤ規格の光ディスクの場合には、３Ｔ、４Ｔ及び５Ｔに対応した信号波形である。
【００２４】
ＣＤ規格の光ディスクには、３Ｔ、４Ｔ〜１１Ｔまでの長さの異なるピットによって信号が記録されており、同図より明らかなように、３Ｔ、４Ｔ、５Ｔとピットの長さが長くなるに従って再生される高周波信号の振幅が大きくなる。また、ＣＤ規格の光ディスクには、前述したように３Ｔ、４Ｔ〜１１Ｔの長さの異なるピットによって信号が記録されているが、ピットが形成されていないランドと呼ばれる平坦な部分から得られる高周波信号のレベルは高くなり、ピットの部分から得られる高周波信号のレベルは低くなる。
【００２５】
図２において、電圧ＰＶは、ピークレベル保持回路９によって保持されるピークレベル、電圧ＢＶは、ボトムレベル保持回路１０によって保持されるボトムレベルである。また
、Ａ及びＢは、基準電圧Ｖｒｅｆを基点としてプラス側の振幅値及びマイナス側の振幅値である。
【００２６】
このようにして得られる高周波信号の振幅値Ａ及びＢから記録された信号の品位を表すβ値は、β＝（Ａ−Ｂ）／（Ａ＋Ｂ）として演算されるが、従来では斯かる演算処理動作をマイクロコンピューターにて行うようにされていた。
【００２７】
本発明は、斯かるマイクロコンピューターによる演算処理動作を行うことなくβ値を求めるようにされている。即ち、Ａ＋Ｂは、光ディスクから再生される再生信号である高周波信号の最大レベルと最小レベルとの間の最大振幅であり、本発明では、斯かる最大振幅値は、自動振幅制御回路７により一定のレベル、例えば１Ｖになるように制御されるように構成されている。
【００２８】
このように高周波信号の最大振幅値が１Ｖになるように制御されると、β＝（Ａ−Ｂ）／１となり、Ａ−Ｂを求めることによってβ値を検出することが出来る。
【００２９】
従って、β＝Ａ−Ｂ＝（ＰＶ−Ｖｒｅｆ）−（Ｖｒｅｆ−ＢＶ）＝ＰＶ＋ＢＶ−２Ｖｒｅｆで求めることが出来る。ここで、β値をβａ＝β／２と変換すると、βａ＝（ＰＶ＋ＢＰ）／２−Ｖｒｅｆと表される。
【００３０】
ここで、（ＰＶ＋ＢＶ）／２の値は、図２のラインＬで示す値であり、この値は、図１に示した回路において、分圧回路１１の分圧点Ｄの分圧電圧ＤＶとなる。従って、斯かる分圧電圧ＤＶである電圧（ＰＶ＋ＢＶ）／２及び基準電圧Ｖｒｅｆが入力される比較回路１２の出力電圧は、図２において、βＶで示す電圧となる。
【００３１】
このβＶの値は、高周波信号の最大振幅値の中間値（ＰＶ＋ＢＶ）／２と基準電圧Ｖｒｅｆの差であり、この値は、β値に対応して変動する値である。前記比較回路１２の出力端子に出力される電圧βＶは、β値検出回路１３に入力されるので、該β値検出回路１３にβＶからβ値を検出するための変換データをテーブルデータとして設定しておけば、入力されるβＶからβ値を即座に検出することが出来ることになる。
【００３２】
このようにしてβ値を検出することが出来るので、光ディスクにテスト信号を記録した後に記録されたテスト信号の記録品位の判定動作や記録動作を行いながらレーザー光の出力レベルを調整する等の制御動作を速やかに行うことが出来る。
【図面の簡単な説明】
【００３３】
【図１】本発明の記録特性検出回路の一実施例を示すブロック回路図である。
【図２】本発明の動作を説明するための信号波形図である。
【符号の説明】
【００３４】
５        ＲＦ信号増幅回路
６        ハイパスフィルター回路
７        自動振幅制御回路
９        ピークレベル保持回路
１０        ボトムレベル保持回路
１１        分圧回路
１２        比較回路
１３        β値検出回路
【図１】
2006252726.tif 000003
【図２】
2006252726.tif 000004